(57)【特許請求の範囲】
【請求項１】
被写体の映像作成に伴う複数種のカメラワークにそれぞれ対応するカメラワーク情報を出力するカメラワーク情報出力装置であり、
前記複数種のカメラワークの実行にそれぞれ対応する複数種のカメラワーク信号を出力するカメラワーク信号出力ユニットと、
該カメラワーク信号出力ユニットから出力される複数種のカメラワーク信号に基づいて、複数種のカメラワークにそれぞれ対応する図形を作成し、作成した図形に対応する図形信号を出力するカメラワーク図形変換ユニットと、
該カメラワーク図形変換ユニットから出力される図形信号に基づいて、前記複数種のカメラワークに対応する図形をそれぞれ表示する図形表示ユニットを有し、
前記図形が周期パターン図形であり、前記カメラワーク図形変換ユニットには、前記周期パターン図形を、前記カメラワークの実行速度に対応する速度での移動状態で出力するワーク速度変換手段が設けられていることを特徴とするカメラワーク情報出力装置。
【請求項２】
被写体の映像作成に伴う複数種のカメラワークにそれぞれ対応するカメラワーク情報を出力するカメラワーク情報出力装置であり、
前記複数種のカメラワークの実行にそれぞれ対応する複数種のカメラワーク信号を出力するカメラワーク信号出力ユニットと、
該カメラワーク信号出力ユニットから出力される複数種のカメラワーク信号に基づいて、複数種のカメラワークにそれぞれ対応する図形を作成し、作成した図形に対応する図形信号を出力するカメラワーク図形変換ユニットと、
該カメラワーク図形変換ユニットから出力される図形信号に基づいて、前記複数種のカメラワークに対応する図形をそれぞれ表示する図形表示ユニットを有し、
前記カメラワーク図形変換ユニットには、前記カメラワークの実行時間に対応して、前記図形の光学条件を変化させて出力するワーク時間変換手段が設けられていることを特徴とするカメラワーク情報出力装置。
【請求項３】
被写体の映像作成に伴う複数種のカメラワークにそれぞれ対応するカメラワーク情報を出力するカメラワーク情報出力装置であり、
前記被写体の映像信号を出力する映像信号出力ユニットと、
前記複数種のカメラワークの実行にそれぞれ対応する複数種のカメラワーク信号を前記映像信号から検出出力するカメラワーク信号出力ユニットと、
該カメラワーク信号出力ユニットから出力される複数種のカメラワーク信号に基づいて、複数種のカメラワークにそれぞれ対応する図形を作成し、作成した図形に対応する図形信号を出力するカメラワーク図形変換ユニットと、
前記映像信号出力ユニットから出力される映像信号と前記カメラワーク図形変換ユニットから出力される図形信号とを互いに同期をとって出力する同期制御ユニットと、
該同期制御ユニットの出力信号に基づいて、互いに対応する前記映像と前記図形とを、同一画面上にそれぞれ表示する同時表示ユニットを有することを特徴とするカメラワーク情報出力装置。
【請求項４】
前記同時表示ユニットが、前記被写体の映像の外周部に前記図形を表示することを特徴とする請求項３記載のカメラワーク情報出力装置。
【請求項５】
被写体の映像作成に伴う複数種のカメラワークにそれぞれ対応するカメラワーク情報を出力するカメラワーク情報出力装置であり、
前記複数種のカメラワークの実行にそれぞれ対応する複数種のカメラワーク信号を出力するカメラワーク信号出力ユニットと、
該カメラワーク信号出力ユニットから出力される複数種のカメラワーク信号に基づいて、複数種のカメラワークにそれぞれ対応する音声情報を作成し、作成した音声情報に対応する音声信号を出力するカメラワーク音声変換ユニットと、
該カメラワーク音声変換ユニットから出力される音声信号に基づいて、前記複数種のカメラワークに対応する音声情報をそれぞれ出力する音声出力ユニットを有することを特徴とするカメラワーク情報出力装置。
【請求項６】
前記カメラワーク音声変換ユニットには、前記音声情報の音声条件を前記カメラワークの実行速度に対応して変化させて出力するワーク速度音声変換手段が設けられていることを特徴とする請求項５記載のカメラワーク情報出力装置。
【請求項７】
前記カメラワーク音声変換ユニットには、前記音声情報の音声条件を前記カメラワークの実行時間に対応して変化させて出力するワーク時間音声変換手段が設けられていることを特徴とする請求項５記載のカメラワーク情報出力装置。
【請求項８】
被写体の映像作成に伴う複数種のカメラワークにそれぞれ対応するカメラワーク情報を出力するカメラワーク情報出力装置であり、前記被写体の映像信号を出力する映像信号出力ユニットと、
前記複数種のカメラワークの実行にそれぞれ対応する複数種のカメラワーク信号を前記映像信号から検出出力するカメラワーク信号出力ユニットと、該カメラワーク信号出力ユニットから出力される複数種のカメラワーク信号に基づいて、複数種のカメラワークにそれぞれ対応する音声情報を作成し、作成した音声情報に対応する音声信号を出力するカメラワーク音声変換ユニットと、
前記映像信号出力ユニットから出力される映像信号と、前記カメラワーク音声変換ユニットから出力される音声信号とを互いに同期をとって出力する映像・音声同期制御ユニットと、
該映像・音声同期制御ユニットの出力信号に基づいて、前記映像の表示を行い該表示に同期して、該映像に対応する音声情報を同時に出力する同時出力ユニットとを有することを特徴とするカメラワーク情報出力装置。
【請求項９】
被写体の映像作成に伴う複数種のカメラワークにそれぞれ対応するカメラワーク情報を出力するカメラワーク情報出力装置であり、
前記複数種のカメラワークの実行にそれぞれ対応する複数種のカメラワーク信号を出力するカメラワーク信号出力ユニットと、
該カメラワーク信号出力ユニットから出力される複数種のカメラワーク信号に基づいて、被写体及びカメラを含む疑似図形からなり、複数種のカメラワークにそれぞれ対応する疑似図形を作成し、作成した疑似図形に対応する疑似図形信号を出力するカメラワーク疑似図形変換ユニットと、
該カメラワーク疑似図形変換ユニットから出力される疑似図形信号に基づいて、前記複数種のカメラワークに対応する疑似図形をそれぞれ表示する疑似図形表示ユニットと、
前記映像信号出力ユニットから出力される映像信号に基づいて、前記被写体の映像を表示する被写体映像表示ユニットとを有することを特徴とするカメラワーク情報出力装置。
【請求項１０】
前記カメラワーク疑似図形変換ユニットには、前記疑似図形を、前記カメラワークの実行速度に対応する速度での移動状態で出力するワーク速度疑似図形変換手段が設けられていることを特徴とする請求項９記載のカメラワーク情報出力装置。
【請求項１１】
前記カメラワーク疑似図形変換ユニットには、前記カメラワークの実行時間に対応して、前記疑似図形の光学条件を変化させて出力するワーク時間疑似図形変換手段が設けられていることを特徴とする請求項９記載のカメラワーク情報出力装置。
【請求項１２】
被写体の映像作成に伴う複数種のカメラワークにそれぞれ対応するカメラワーク情報を出力するカメラワーク情報出力装置であり、
前記被写体の映像信号を出力する映像信号出力ユニットと、
前記複数種のカメラワークの実行にそれぞれ対応する複数種のカメラワーク信号を前記映像信号から検出出力するカメラワーク信号出力ユニットと、該カメラワーク信号出力ユニットから出力される複数種のカメラワーク信号に基づいて、被写体及びカメラを含む疑似図形からなり、複数種のカメラワークにそれぞれ対応する疑似図形を作成し、作成した疑似図形に対応する疑似図形信号を出力するカメラワーク疑似図形変換ユニットと、
前記映像信号出力ユニットから出力される映像信号と、前記カメラワーク疑似図形変換ユニットから出力される図形信号とを同期をとって出力する同期制御ユニットと、
該同期制御ユニットの出力信号に基づいて、前記映像信号と前記疑似図形とを表示する映像・疑似図形表示ユニットとを有することを特徴とするカメラワーク情報出力装置。
【発明の詳細な説明】
【０００１】
【発明の属する技術分野】
本発明は、被写体の映像作成に伴って行われる複数種のカメラワークにそれぞれ対応するカメラワーク情報を出力するカメラワーク情報出力装置に関する。
【０００２】
【従来の技術】
被写体の映像作成に際しては、カメラの高さを上下するブームアップ、ブームダウン、カメラを被写体に近付け、或いは被写体から遠ざけるように前後に移動するドリーイン、ドリーアウト、カメラを被写体と平行して左右に移動させるトラッキング、カメラを垂直軸を中心に左右に水平回転させるパン、カメラを水平軸を中心に上下に傾けるように回転させるチルト、及びカメラを光軸を中心に回転するローテートのカメラワークから必要なワークが選択されて実行される。
この場合に、被写体の撮影により作成される映像に対して、このカメラワークの情報を付加情報として記録取得することにより、以後の映像作成に際して記録情報を資料として利用することは、高品質の映像作成のために必要なことである。このために、近年では、ビデオカメラなどの映像撮影機器での映像撮影と同時に、カメラワーク情報が映像に読取り可能に付加される方式や、撮影された映像からカメラワーク情報を検出する方式が利用されている。
【０００３】
【発明が解決しようとする課題】
しかし、従来は映像に読取り自在に付加されるカメラワーク情報や、撮影された映像から検出されるカメラワーク情報は、文字情報のみで構成されるテキストのまま取り扱われるので、計算器による検索と情報処理には最適であるが、ユーザがカメラワーク情報を直接把握することはできない。
本発明は、前述したようなカメラワーク情報の把握検索の現状に鑑みてなされたものであり、その目的は、ユーザが直接迅速にカメラワーク情報を容易に且つ適確に把握することが可能なカメラワーク情報出力装置を提供することにある。
【０００４】
【課題を解決するための手段】
前記目的を達成するために、請求項１記載の発明は、被写体の映像作成に伴う複数種のカメラワークにそれぞれ対応するカメラワーク情報を出力するカメラワーク情報出力装置であり、前記複数種のカメラワークの実行にそれぞれ対応する複数種のカメラワーク信号を出力するカメラワーク信号出力ユニットと、該カメラワーク信号出力ユニットから出力される複数種のカメラワーク信号に基づいて、複数種のカメラワークにそれぞれ対応する図形を作成し、作成した図形に対応する図形信号を出力するカメラワーク図形変換ユニットと、該カメラワーク図形変換ユニットから出力される図形信号に基づいて、前記複数種のカメラワークに対応する図形をそれぞれ表示する図形表示ユニットを有前記図形が周期パターン図形であり、前記カメラワーク図形変換ユニットには、前記周期パターン図形を、前記カメラワークの実行速度に対応する速度での移動状態で出力するワーク速度変換手段が設けられていることを特徴とするものである。
【０００６】
同様に前記目的を達成するために、請求項２記載の発明は、被写体の映像作成に伴う複数種のカメラワークにそれぞれ対応するカメラワーク情報を出力するカメラワーク情報出力装置であり、前記複数種のカメラワークの実行にそれぞれ対応する複数種のカメラワーク信号を出力するカメラワーク信号出力ユニットと、該カメラワーク信号出力ユニットから出力される複数種のカメラワーク信号に基づいて、複数種のカメラワークにそれぞれ対応する図形を作成し、作成した図形に対応する図形信号を出力するカメラワーク図形変換ユニットと、該カメラワーク図形変換ユニットから出力される図形信号に基づいて、前記複数種のカメラワークに対応する図形をそれぞれ表示する図形表示ユニットを有し、前記カメラワーク図形変換ユニットには、前記カメラワークの実行時間に対応して、前記図形の光学条件を変化させて出力するワーク時間変換手段が設けられていることを特徴とするものである。
【０００７】
同様に前記目的を達成するために、請求項３記載の発明は、被写体の映像作成に伴う複数種のカメラワークにそれぞれ対応するカメラワーク情報を出力するカメラワーク情報出力装置であり、前記被写体の映像信号を出力する映像信号出力ユニットと、前記複数種のカメラワークの実行にそれぞれ対応する複数種のカメラワーク信号を前記映像信号から検出出力するカメラワーク信号出力ユニットと、該カメラワーク信号出力ユニットから出力される複数種のカメラワーク信号に基づいて、複数種のカメラワークにそれぞれ対応する図形を作成し、作成した図形に対応する図形信号を出力するカメラワーク図形変換ユニットと、前記映像信号出力ユニットから出力される映像信号と前記カメラワーク図形変換ユニットから出力される図形信号とを互いに同期をとって出力する同期制御ユニットと、該同期制御ユニットの出力信号に基づいて、互いに対応する前記映像と前記図形とを、同一画面上にそれぞれ表示する同時表示ユニットを有することを特徴とするものである。
【０００８】
同様に前記目的を達成するために、請求項４記載の発明は、請求項３記載の発明において、前記同時表示ユニットが、前記被写体の映像の外周部に前記図形を表示することを特徴とするものである。
【０００９】
同様に前記目的を達成するために、請求項５記載の発明は、被写体の映像作成に伴う複数種のカメラワークにそれぞれ対応するカメラワーク情報を出力するカメラワーク情報出力装置であり、前記複数種のカメラワークの実行にそれぞれ対応する複数種のカメラワーク信号を出力するカメラワーク信号出力ユニットと、該カメラワーク信号出力ユニットから出力される複数種のカメラワーク信号に基づいて、複数種のカメラワークにそれぞれ対応する音声情報を作成し、作成した音声情報に対応する音声信号を出力するカメラワーク音声変換ユニットと、該カメラワーク音声変換ユニットから出力される音声信号に基づいて、前記複数種のカメラワークに対応する音声情報をそれぞれ出力する音声出力ユニットを有することを特徴とするものである。
【００１０】
同様に前記目的を達成するために、請求項６記載の発明は、請求項５記載の発明において、前記カメラワーク音声変換ユニットには、前記音声情報の音声条件を前記カメラワークの実行速度に対応して変化させて出力するワーク速度音声変換手段が設けられていることを特徴とするものである。
【００１１】
同様に前記目的を達成するために、請求項７記載の発明は、請求項５記載の発明において、前記カメラワーク音声変換ユニットには、前記音声情報の音声条件を前記カメラワークの実行時間に対応して変化させて出力するワーク時間音声変換手段が設けられていることを特徴とするものである。
【００１２】
同様に前記目的を達成するために、請求項８記載の発明は、被写体の映像作成に伴う複数種のカメラワークにそれぞれ対応するカメラワーク情報を出力するカメラワーク情報出力装置であり、前記被写体の映像信号を出力する映像信号出力ユニットと、前記複数種のカメラワークの実行にそれぞれ対応する複数種のカメラワーク信号を前記映像信号から検出出力するカメラワーク信号出力ユニットと、該カメラワーク信号出力ユニットから出力される複数種のカメラワーク信号に基づいて、複数種のカメラワークにそれぞれ対応する音声情報を作成し、作成した音声情報に対応する音声信号を出力するカメラワーク音声変換ユニットと、前記映像信号出力ユニットから出力される映像信号と、前記カメラワーク音声変換ユニットから出力される音声信号とを互いに同期をとって出力する映像・音声同期制御ユニットと、該映像・音声同期制御ユニットの出力信号に基づいて、前記映像の表示を行い該表示に同期して、該映像に対応する音声情報を同時に出力する同時出力ユニットとを有することを特徴とするものである。
【００１３】
同様に前記目的を達成するために、請求項９記載の発明は、被写体の映像作成に伴う複数種のカメラワークにそれぞれ対応するカメラワーク情報を出力するカメラワーク情報出力装置であり、前記複数種のカメラワークの実行にそれぞれ対応する複数種のカメラワーク信号を出力するカメラワーク信号出力ユニットと、該カメラワーク信号出力ユニットから出力される複数種のカメラワーク信号に基づいて、被写体及びカメラを含む疑似図形からなり、複数種のカメラワークにそれぞれ対応する疑似図形を作成し、作成した疑似図形に対応する疑似図形信号を出力するカメラワーク疑似図形変換ユニットと、該カメラワーク疑似図形変換ユニットから出力される疑似図形信号に基づいて、前記複数種のカメラワークに対応する疑似図形をそれぞれ表示する疑似図形表示ユニットと、前記映像信号出力ユニットから出力される映像信号に基づいて、前記被写体の映像を表示する被写体映像表示ユニットとを有することを特徴とするものである。
【００１４】
同様に前記目的を達成するために、請求項１０記載の発明は、請求項９記載の発明において、前記カメラワーク疑似図形変換ユニットには、前記疑似図形を、前記カメラワークの実行速度に対応する速度での移動状態で出力するワーク速度疑似図形変換手段が設けられていることを特徴とするものである。
【００１５】
同様に前記目的を達成するために、請求項１１記載の発明は、請求項９記載の発明において、前記カメラワーク疑似図形変換ユニットには、前記カメラワークの実行時間に対応して、前記疑似図形の光学条件を変化させて出力するワーク時間疑似図形変換手段が設けられていることを特徴とするものである。
【００１６】
同様に前記目的を達成するために、請求項１２記載の発明は、被写体の映像作成に伴う複数種のカメラワークにそれぞれ対応するカメラワーク情報を出力するカメラワーク情報出力装置であり、前記被写体の映像信号を出力する映像信号出力ユニットと、前記複数種のカメラワークの実行にそれぞれ対応する複数種のカメラワーク信号を前記映像信号から検出出力するカメラワーク信号出力ユニットと、該カメラワーク信号出力ユニットから出力される複数種のカメラワーク信号に基づいて、被写体及びカメラを含む疑似図形からなり、複数種のカメラワークにそれぞれ対応する疑似図形を作成し、作成した疑似図形に対応する疑似図形信号を出力するカメラワーク疑似図形変換ユニットと、前記映像信号出力ユニットから出力される映像信号と、前記カメラワーク疑似図形変換ユニットから出力される図形信号とを同期をとって出力する同期制御ユニットと、該同期制御ユニットの出力信号に基づいて、前記映像信号と前記疑似図形とを表示する映像・疑似図形表示ユニットとを有することを特徴とするものである。
【００１７】
【発明の実施の形態】
［第１の実施の形態］
本発明の第１の実施の形態を、図１及び図２を参照して説明する。
図１は本実施の形態の要部の構成を示すブロック図、図２は本実施の形態のカメラワークに対応する表示図形を示す説明図である。
【００１８】
本実施の形態では、図１に示すように、ユーザが被写体の撮影に際して行うカメラワークの種別、実行速度及び実行時間を示すカメラワーク信号Ｆ１が出力されるカメラワーク情報出力ユニット１０が設けられ、このカメラワーク情報出力ユニット１０に、カメラワーク信号Ｆ１に基づいて、実行されたカメラワークの種別、実行速度及び実行時間に応じて変化する周期パターン図形を変換作成し、該周期パターン図形に対応する図形信号Ｆ２を出力するカメラワーク図形変換ユニット１１が接続され、カメラワーク図形変換ユニット１１には、図形信号Ｆ２に対応する周期パターン図形を表示する図形表示器１２が接続されている。
前記カメラワーク図形変換ユニット１１には、作成される周期パターン図形を、カメラワークの実行速度に対応する速度で移動させた状態で出力するワーク速度変換手段と、作成される周期パターン図形を、カメラワークの実行時間に対応して、明度を変化させて出力するワーク時間変換手段とが設けられている。
以上に説明したような機能を有するカメラワーク情報出力ユニット１０、カメラワーク図形変換ユニット１１及び図形表示器１２からなるカメラワーク情報出力装置２２Ａは、ビデオカメラなどの映像撮影機器に組み込まれて使用されるように構成されている。
【００１９】
このような構成の本実施の形態の動作を説明する。
本実施の形態によると、被写体の撮影を行うに際して、ユーザは、カメラの高さを上下するブームアップ、ブームダウン、カメラを被写体に近付け、或いは被写体から遠ざけるように前後に移動するドリーイン、ドリーアウト或いはズーム操作、カメラを被写体と平行して左右に移動させるトラッキング、カメラを垂直軸を中心に左右に水平回転させるパン、カメラを水平軸を中心に上下に傾けるように回転させるチルト、及びカメラを光軸を中心回転するローテートのカメラワークから必要なワークを選択し、選択したカメラワークを所定の速度で所定の時間にわたって実行する。
【００２０】
このようなカメラワークが実行されると、カメラワーク情報出力ユニット１０からは、実行されたカメラワークの種別、実行速度及び実行時間に対応するカメラワーク信号Ｆ１が出力され、このカメラワーク信号Ｆ１はカメラワーク図形変換ユニット１１に入力される。そして、カメラワーク図形変換ユニット１１において、入力されるカメラワーク信号Ｆ１に基づいて、カメラワークの種別に対応する周期パターン形状を有し、この周期パターン形状がカメラワークの実行速度に対応して移動し、さらに周期パターン形状の明度がカメラワークの実行時間に対応して変化する周期パターン形状の図形が作成される。そして、作成された図形に対応する図形信号Ｆ２が、カメラワーク図形変換ユニット１１から出力され、図形表示器１２によって、カメラワーク図形変換ユニット１１から入力される図形信号Ｆ２に基づいて、カメラワーク図形変換ユニット１１で作成された周期パターン形状の図形が表示される。
【００２１】
このようにして、図形表示器１２によって表示されるカメラワークに対応する周期パターン形状の図形は、図２にそれぞれ示されるような形状を有しており、ユーザが、カメラワークとして、カメラを被写体と平行して左右に移動させるトラッキング、或いはカメラを垂直軸を中心に左右に水平回転させるパンを実行すると、図形表示器１２には、同図（ａ）に示すような縦の縞模様の図形Ｓｖが表示される。
同図（ａ）は、トラッキング或いはパンを左方向に行った場合であり、矢印に示すように図形Ｓｖは、カメラワークと共に縞模様が右方向にスクロールし、スクロールにより新たな縞模様が送り込まれ、縞模様のスクロール速度がカメラワークの実行速度に対応している。また、縞模様の明度が、カメラワークの実行時間に対応して変化しており、例えばパンの開始時には、縞模様は黒色と白色とで構成されるが、パンの実行時間と共に、黒色の部分が次第に薄くなって、パンの終了時には縞模様がなくなり図形Ｓｖ全体が白色となる。
図２（ｂ）は、カメラワークとして、カメラを水平軸を中心に上下に傾けるように回転させるチルト或いはカメラの高さを上下するブームアップ、ブームダウンを、上方向に行った場合であり、図形表示器１２には、同図に示すような横の縞模様の図形Ｓｈが表示され、カメラワークと共に縞模様が下方向にスクロールし、スクロールにより新たな縞模様が送り込まれ、縞模様のスクロール速度がカメラワークの実行速度に対応している。また、縞模様の図形Ｓｈの明度が時間の経過で変化し、カメラワークの開始時には、黒色と白色とで構成される縞模様の図形が、カメラワークの終了時には縞模様がなくなり全体が白色の図形Ｓｈとなる。
【００２２】
図２（ｃ）は、カメラワークとして、カメラを被写体に近付け、或いは被写体から遠ざけるように前後に移動するドリーイン、ドリーアウト或いはズーム操作を前方に行った場合であり、図形表示器１２には、同図に示すような多重同心円の図形Ｃｍが表示され、カメラワークと共に各同心円の半径が拡大し、その拡大速度がカメラワークの実行速度に対応している。また、多重同心円の図形Ｃｍの明度が時間の経過で変化し、カメラワークの開始時には、黒色と白色とで構成される多重同心円の図形が、カメラワークの終了時には全体が白色の図形Ｃｍとなる。
図２（ｄ）は、カメラワークとして、カメラを光軸を中心に回転するローテートを時計回り方向に行った場合であり、図形表示器１２には、同図に示すような渦巻の図形Ｗｐが表示され、カメラワークと共に渦巻の図形Ｗｐが反時計回り方向に回転し、その回転速度がカメラワークの実行速度に対応している。また渦巻の図形Ｗｐの明度が時間の経過で変化し、カメラワークの開始時には、黒色と白色とで構成される渦巻の図形Ｗｐが、カメラワークの終了時には全体が白色の図形Ｗｐとなる。
【００２３】
このように、本実施の形態によると、カメラワークの種別のパンまたはトラッキング、チルトまたはブーム、ドリーまたはズーム、及びローテートにそれぞれ対応して、縦縞の図形Ｓｖ、横縞の図形Ｓｈ、多重同心円の図形Ｃｍ、或いは渦巻の図形Ｗｐがそれぞれ図形表示器１２に表示され、ユーザのカメラワークの実行速度に対応する速度で表示図形が、予め設定した形態で移動変形し、カメラワークの実行時間に対応して、表示図形の明度が変化する。このためにユーザは、被写体の映像作成に伴って実行されたカメラワークの種別情報、実行速度情報及び実行時間情報を、図形表示器１２の表示図形に基づいて、容易且つ適確に把握することが可能になる。
【００２４】
［第２の実施の形態］
本発明の第２の実施の形態を、図３及び図４を参照して説明する。
図３は本実施の形態の要部の構成を示すブロック図、図４は本実施の形態の映像とカメラワークに対応する図形との同時表示の説明図である。
【００２５】
本実施の形態では、図３に示すように、被写体の映像信号が出力される映像信号出力ユニット１３に、映像信号出力ユニット１３から出力される映像信号Ｆ３からカメラワークを検出するカメラワーク検出ユニット２３が接続され、カメラワーク検出ユニット２３には、すでに第１の実施の形態で説明したカメラワーク図形変換ユニット１１が接続されている。
また、映像信号出力ユニット１３の出力端子と、カメラワーク図形変換ユニット１１の出力端子とが、映像信号出力ユニット１３から出力される映像信号Ｆ３と、カメラワーク図形変換ユニット１１から出力される図形信号Ｆ２とを、同期をとった状態で出力する同期制御ユニット１４のそれぞれの入力端子に接続されている。
そして、同期制御ユニット１４には、ディスプレイ１５が接続され、同期制御ユニット１４から出力される映像信号Ｆ３は、ディスプレイ１５の映像表示部１５ａに入力され、同期制御ユニット１４から出力される図形信号Ｆ２は、ディスプレイ１５の図形表示部１５ｂに入力されるように構成されている。
さらに、本実施の形態においては、カメラワーク図形変換ユニット１１から、カメラワークの種別、カメラワークの実行速度及びカメラワークの実行時間に対応して出力される図形信号Ｆ２は、すでに説明した第１の実施の形態の場合と同一に設定されている。  また、以上に説明したような機能を有する映像信号出力ユニット１３、カメラワーク検出ユニット２３、カメラワーク図形変換ユニット１１、同期制御ユニット１４及びディスプレイ１５からなるカメラワーク情報出力装置２２Ｂは、ビデオカメラなどの映像撮影機器に組み込まれて使用されるように構成されている。
【００２６】
このような構成の本実施の形態の動作を説明する。
本実施の形態においては、同期制御ユニット１４に映像信号出力ユニット１３からの映像信号Ｆ３と、カメラワーク図形変換ユニット１１からの図形信号Ｆ２とが入力され、同期制御ユニット１４では、映像信号Ｆ３と図形信号Ｆ２とを同期を取った状態で、ディプレイ１５に出力し、映像信号Ｆ３は映像表示部１５ａに入力され、図形信号Ｆ２は図形表示部１５ｂに入力される。そして、映像表示部１５ａに被写体の映像が、図形表示部１５ｂにカメラワークに対応する図形が表示される。
本実施の形態では、映像表示部１５ａの外周部に図形表示部１５ｂが設けられており、すでに図２を参照して説明したカメラワークの種別にそれぞれ対応する縦縞の図形Ｓｖ、横縞の図形Ｓｈ、多重同心円の図形Ｃｍ、或いは渦巻の図形Ｗｐの一部が、図４に示すように、映像表示部１５ａに表示される映像の外周部に設けた図形表示部１５ｂにそれぞれ表示される。
【００２７】
図４（ａ）は、カメラワークとしてパン或いはトラッキングを行った場合のディスプレイ１５の表示を示し、映像表示部１５ａに表示される映像の外周の図形表示部１５ｂには、縦縞の図形Ｓｖが表示され、カメラワークの実行速度に対応する速度で図形Ｓｖが左方または右方に移動し、カメラワークの実行時間に対応して、黒色及び白色の縞模様の明度が変化し、実行時間の終了時には図形Ｓｖは全体が白色となる。
図４（ｂ）は、カメラワークとしてチルト或いはブームを行った場合のディスプレイ１５の表示を示し、映像表示部１５ａに表示される映像の外周の図形表示部１５ｂには、横縞の図形Ｓｈが表示され、カメラワークの実行速度に対応する速度で図形Ｓｈが上方または下方に移動し、カメラワークの実行時間に対応して、黒色及び白色の縞模様の明度が変化し、実行時間の終了時には図形Ｓｈは全体が白色となる。
【００２８】
図４（ｃ）は、カメラワークとしてズーム或いはドリーを行った場合のディスプレイ１５の表示を示し、映像表示部１５ａに表示される映像の外周の図形表示部１５ｂには、多重同心円の図形Ｃｍが表示され、カメラワークの実行速度に対応する速度で図形Ｃｍの各同心円の半径が拡大または縮小し、カメラワークの実行時間に対応して、黒色及び白色の図形Ｃｍの明度が変化し、実行時間の終了時には図形Ｃｍは全体が白色となる。
図４（ｄ）は、カメラワークとしてローテートを行った場合のディスプレイ１５の表示を示し、映像表示部１５ａに表示される映像の外周の図形表示部１５ｂには、渦巻図形Ｗｐが表示され、カメラワークの実行速度に対応する速度で渦巻図形Ｗｐが時計回り方向または反時計回り方向に回転し、カメラワークの実行時間に対応して、黒色及び白色の渦巻図形Ｗｐの明度が変化し、実行時間の終了時には渦巻図形Ｗｐは全体が白色となる。
【００２９】
このように、本実施の形態によると、カメラワークの種別、パンまたはトラッキング、チルトまたはブーム、ドリーまたはズーム、及びローテートにそれぞれ対応して、縦縞の図形Ｓｖ、横縞の図形Ｓｈ、多重同心円の図形Ｃｍ、或いは渦巻の図形Ｗｐの一部が、図形表示器１２において、映像の外周に設けられた図形表示部１５ｂに映像に同期して表示され、ユーザのカメラワークの実行速度に対応する速度で表示図形が、予め設定した形態で移動し、カメラワークの実行時間に対応して、表示図形の明度が変化する。このためにユーザは、被写体の映像作成に伴って実行されたカメラワークの種別情報、実行速度情報及び実行時間情報を、図形表示器１２の表示図形に基づいて、映像に高精度で同期した状態で容易且つ適確に把握することが可能になる。
【００３０】
［第３の実施の形態］
本発明の第３の実施の形態を、図５を参照して説明する。
図５は本実施の形態の要部の構成を示すブロック図である。
【００３１】
本実施の形態では、すでに図１を参照して説明した第１の実施の形態において、カメラワーク図形変換ユニット１１に代えて、カメラワーク情報出力ユニット１０からのカメラワーク信号Ｆ１に基づいて、カメラワークの種別、カメラワークの実行速度及びカメラワークの実行時間に対応する音声信号Ｆ５を合成出力するカメラワーク音声変換ユニット１６が設けられ、カメラワーク音声変換ユニット１６には、第１の実施例の図形表示器１２に代えて、スピーカ１７が接続されている。
以上に説明したような機能を有するカメラワーク情報出力ユニット１０、カメラワーク音声変換ユニット１６及びスピーン１７なるカメラワーク情報出力装置２２Ｃは、ビデオカメラなどの映像撮影機器に組み込まれて使用されるように構成されている。
【００３２】
このような構成の本実施の形態の動作を説明する。
カメラワークが実行されると、カメラワーク情報出力ユニット１０からは、実行されたカメラワークの種別、実行速度及び実行時間に対応するカメラワーク信号Ｆ１が出力され、このカメラワーク信号Ｆ１はカメラワーク音声変換ユニット１６に入力される。そして、カメラワーク音声変換ユニット１６において、入力されるカメラワーク信号Ｆ１に基づいて、カメラワークの種別にそれぞれ対応する周波数の音声信号Ｆ５が合成され、合成された音声信号Ｆ５は、出力周期をカメラワークの実行速度に対応して変化させた状態で、カメラワーク音声変換ユニット１６から出力される。
また、カメラワーク音声変換ユニットから出力される音声信号Ｆ５の出力レベルは、カメラワークの実行時間の経過と共に次第に低下されるので、所定のレベルで出力される音声信号Ｆ５は、カメラワークの実行時間の経過と共に、出力レベルが低下し実行時間の終了時に０レベルになるように設定される。
このような音声信号Ｆ５は、スピーカ１７に入力され、スピーカ１７からは、カメラワークの種別に対応する周波数で、出力周期がカメラワークの実行速度に対応して変化され、出力レベルがカメラワークの実行時間に対応して、次第に低下し実行時間の終了時に０レベルとなる音声情報が出力される。
【００３３】
このようにして、本実施の形態によると、ユーザは、スピーカ１７から出力される音声情報の周波数によって、被写体の映像作成時に行われたカメラワークの種別を、スピーカ１７からの音声情報の出力周期によって、カメラワークの実行速度を、スピーカ１７からの音声情報の出力レベルによって、カメラワークの実行時間をそれぞれ、容易且つ適確に把握することが可能になる。
【００３４】
［第４の実施の形態］
本発明の第４の実施の形態を、図６及び図７を参照して説明する。
図６は本実施の形態の要部の構成を示すブロック図、図７は本実施の形態の疑似図形表示の説明図である。
【００３５】
本実施の形態では、図６に示すように、すでに図１を参照して説明した第１の実施の形態において、カメラワーク図形変換ユニット１１に代えて、カメラワーク情報出力ユニット１０からのカメラワーク信号Ｆ１に基づき、カメラワークの種別、カメラワークの実行速度及びカメラワークの実行時間に対応する疑似図形を作成し、作成した疑似図形に対応する疑似図形信号Ｆ６を出力するカメラワーク疑似図形変換ユニット１８が設けられている。
本実施の形態のその他の部分の構成は、すでに説明した第１の実施の形態と同一なので、重複する説明は行わない。
また、以上に説明したような機能を有するカメラワーク情報出力ユニット１０、カメラワーク疑似図形変換ユニット１８及び図形表示器１２からなるカメラワーク情報出力装置２２Ｄは、ビデオカメラなどの映像撮影機器に組み込まれて使用されるように構成されている。
【００３６】
このような構成の本実施の形態の動作を説明する。
本実施の形態では、カメラワーク疑似図形変換ユニット１８によって、カメラワーク信号Ｆ１に基づいて、図７に示すように、被写体疑似図形２０とカメラ疑似図形２１とを含む疑似図形に対応する疑似図形信号Ｆ６が作成され、この疑似図形信号Ｆ６が図形表示器１２に入力され、図形表示器１２によって、図７に示すような疑似図形が表示される。
同図（ａ）はカメラワークとしてパンを行った場合の疑似図形であり、表示画面には被写体疑似図形２０と、被写体疑似図形２０に対向するカメラ疑似図形２１とが表示され、パン操作を示すように、カメラ疑似図形２１が一端の近傍を中心に、矢印で示すように左右に回動表示され、この時の回動速度はカメラワークの実行速度に対応している。
また、カメラ疑似図形２１の明度が、カメラワークの実行時間に対応して変化し、カメラワークの開始時に黒色と白色とで構成されるカメラ疑似図形２１の明度が次第に変化し、カメラワークの終了時にはカメラ疑似図形２１全体が白色になる。
【００３７】
同図（ｂ）はカメラワークとしてトラッキングを行った場合の疑似図形であり、この場合にも表示画面には被写体疑似図形２０と、被写体疑似図形２０に対向するカメラ疑似図形２１とが表示され、トラッキングを示すように、カメラ疑似図形２１が矢印で示すように左右に平行移動した状態で表示され、この時の移動速度はカメラワークの実行速度に対応している。
また、カメラ疑似図形２１の明度が、カメラワークの実行時間に対応して変化し、カメラワークの開始時に黒色と白色とで構成されるカメラ疑似図形２１の明度が次第に変化し、カメラワークの終了時にはカメラ疑似図形２１全体が白色になる。
本実施の形態におけるチルト、ブーム、ズーム、ドリーム、ローテートのその他のカメラワークに対しても、表示されるカメラ疑似図形には、それぞれのカメラワークの移動に対応して、予め設定される所定の移動変化が表示され、その移動変化の速度はカメラワークの実行速度に対応している。また、各カメラワークに対応して表示されるカメラ疑似図形の明度は、カメラワークの実行時間に対応して変化する。
【００３８】
このようにして、本実施の形態によると、図形表示器１２によって、表示画面に被写体疑似図形２０とカメラ疑似図形２１とが対向した位置に表示され、カメラワークの種別に対応して予め設定された所定の形態で、カメラ疑似図形２１が、カメラワークの実行速度に対応する速度で移動し、カメラ疑似図形２１の明度がカメラワークの実行時間と共に変化する。このためにユーザは、被写体の映像作成に伴って実行されたカメラワークの種別情報、実行速度情報及び実行時間情報を、図形表示器１２により表示されるカメラ疑似図形２１の動きと明度変化とに基づいて、具体的に迅速且つ適確に把握することが可能になる。
【００３９】
【発明の効果】
請求項１記載のカメラワーク情報出力装置に係る発明によると、カメラワーク信号出力ユニットによって、複数種のカメラワークの実行にそれぞれ対応する複数種のカメラワーク信号が出力され、カメラワーク図形変換ユニットによって、カメラワーク信号出力ユニットから出力される複数種のカメラワーク信号に基づいて、複数種のカメラワークにそれぞれ対応する図形が作成され、作成された図形に対応する図形信号が出力され、図形表示ユニットによって、カメラワーク図形変換ユニットから出力される図形信号に基づいて、複数種のカメラワークに対応する図形がそれぞれ表示されるので、ユーザは図形表示ユニットにより表示される図形に基づいて、被写体の映像作成に伴って実行されたカメラワークの種別情報を、容易且つ適確に把握することが可能になる。
【００４０】
さらに、請求項１記載の発明によると、カメラワーク図形変換ユニットに設けられるワーク速度変換手段によって、周期パターン図形である図形が、カメラワークの実行速度に対応する速度での移動状態で出力されるので、ユーザは図形表示ユニットにより表示される図形から、カメラワークの実行速度を検知することが可能になる。
【００４１】
請求項２記載の発明によると、カメラワーク信号出力ユニットによって、複数種のカメラワークの実行にそれぞれ対応する複数種のカメラワーク信号が出力され、カメラワーク図形変換ユニットによって、カメラワーク信号出力ユニットから出力される複数種のカメラワーク信号に基づいて、複数種のカメラワークにそれぞれ対応する図形が作成され、作成された図形に対応する図形信号が出力され、図形表示ユニットによって、カメラワーク図形変換ユニットから出力される図形信号に基づいて、複数種のカメラワークに対応する図形がそれぞれ表示されるので、ユーザは図形表示ユニットにより表示される図形に基づいて、被写体の映像作成に伴って実行されたカメラワークの種別情報を、容易且つ適確に把握することが可能になことに加えて、さらに、カメラワーク図形変換ユニットに設けられるワーク時間変換手段によって、カメラワークの実行時間に対応して、図形の光学条件が変化されて出力されるので、ユーザは図形表示ユニットにより表示される図形から、カメラワークの実行時間を検知することが可能になる。
【００４２】
請求項３記載のカメラワーク情報出力装置に係る発明によると、カメラワーク信号出力ユニットによって、映像信号出力ユニットから出力される映像信号から、複数種のカメラワークの実行にそれぞれ対応する複数種のカメラワーク信号が検出出力され、カメラワーク図形変換ユニットによって、カメラワーク信号出力ユニットから出力される複数種のカメラワーク信号に基づいて、複数種のカメラワークにそれぞれ対応する図形が作成され、作成された図形に対応する図形信号が出力され、同期制御ユニットによって、映像信号出力ユニットから出力される映像信号とカメラワーク図形変換ユニットから出力される図形信号とが、互いに同期をとって出力され、同時表示ユニットによって、同期制御ユニットの出力信号に基づいて、互いに対応する映像と図形とが同一画面上にそれぞれ表示されるので、ユーザは同時表示ユニットにより表示される図形に基づいて、被写体の映像作成に伴って実行されたカメラワークの種別情報を、対応する映像に対応付けて、容易且つ適確に把握することが可能になる。
【００４３】
請求項４記載の発明によると、同時表示ユニットが、被写体の映像の外周部に図形を表示することにより、請求項３記載の発明での効果を実現することが可能になる。
【００４４】
請求項５記載の発明によると、カメラワーク信号出力ユニットによって、複数種のカメラワークの実行にそれぞれ対応する複数種のカメラワーク信号が出力され、カメラワーク音声変換ユニットによって、カメラワーク信号出力ユニットから出力される複数種のカメラワーク信号に基づいて、複数種のカメラワークにそれぞれ対応する音声情報が作成され、作成された音声情報に対応する音声信号が出力され、音声出力ユニットによって、カメラワーク音声変換ユニットから出力される音声信号に基づいて、複数種のカメラワークに対応する音声情報がそれぞれ出力されるので、ユーザは音声出力ユニットにより出力される音声情報に基づいて、被写体の映像作成に伴って実行されたカメラワークの種別情報を、容易且つ適確に把握することが可能になる。
【００４５】
請求項６記載の発明によると、請求項５記載の発明で得られる効果に加えて、カメラワーク音声変換ユニットに設けられるワーク速度音声変換手段によって、音声情報の音声条件をカメラワークの実行速度に対応して変化させた状態で、音声情報が音声出力ユニットから出力されるので、ユーザは出力される音声情報からカメラワークの実行速度を検知することが可能になる。
【００４６】
請求項７記載の発明によると、請求項５記載の発明で得られる効果に加えて、カメラワーク音声変換ユニットに設けられるワーク時間音声変換手段によって、カメラワークの実行時間に対応して、音声情報の音声条件が変化されて出力されるので、ユーザは音声出力ユニットにより出力される音声情報から、カメラワークの実行時間を検知することが可能になる。
【００４７】
請求項８記載のカメラワーク情報出力装置に係る発明によると、カメラワーク信号出力ユニットによって、映像信号出力ユニットから出力される映像信号から、複数種のカメラワークの実行にそれぞれ対応する複数種のカメラワーク信号が検出出力され、カメラワーク音声変換ユニットによって、カメラワーク信号出力ユニットから出力される複数種のカメラワーク信号に基づいて、複数種のカメラワークにそれぞれ対応する音声情報が作成され、作成された音声情報に対応する音声信号が出力され、 映像・音声同期制御ユニットによって、映像信号出力ユニットから出力される映像信号とカメラワーク音声変換ユニットから出力される音声信号とが、互いに同期をとって出力され、同時出力ユニットによって、映像・音声同期制御ユニットの出力信号に基づいて、互いに対応する映像と音声情報とが同期をとって出力されるので、ユーザは同時出力ユニットにより出力される音声情報に基づいて、被写体の映像作成に伴って実行されたカメラワークの種別情報を、対応する映像に対応付けて容易且つ適確に把握することが可能になる。
【００４８】
請求項９記載のカメラワーク情報出力装置に係る発明によると、カメラワーク信号出力ユニットによって、複数種のカメラワークの実行にそれぞれ対応する複数種のカメラワーク信号が出力され、カメラワーク疑似図形変換ユニットによって、カメラワーク信号出力ユニットから出力される複数種のカメラワーク信号に基づいて、被写体及びカメラを含む疑似図形からなり、複数種のカメラワークにそれぞれ対応する疑似図形が作成され、作成された疑似図形に対応する疑似図形信号が出力され、疑似図形表示ユニットによって、カメラワーク疑似図形変換ユニットから出力される疑似図形信号に基づいて、複数種のカメラワークに対応する疑似図形がそれぞれ表示されるので、ユーザは疑似図形表示ユニットにより表示される図形に基づいて、被写体の映像作成に伴って実行されたカメラワークの種別情報を、具体的な疑似図形によって、より容易且つ適確に把握することが可能になる。
【００４９】
請求項１０記載の発明によると、請求項９記載の発明で得られる効果に加えて、カメラワーク疑似図形変換ユニットに設けられるワーク速度疑似図形変換手段によって、疑似図形が、カメラワークの実行速度に対応する速度での移動状態で出力されるので、ユーザは疑似図形表示ユニットにより表示される疑似図形から、カメラワークの実行速度を検知することが可能になる。
【００５０】
請求項１１記載の発明によると、請求項９記載の発明で得られる効果に加えて、カメラワーク疑似図形変換ユニットに設けられるワーク時間疑似図形変換手段によって、疑似図形が、カメラワークの実行速度に対応する速度での移動状態で出力されるので、ユーザは疑似図形表示ユニットにより表示される疑似図形から、カメラワークの実行速度を検知することが可能になる。
【００５１】
請求項１２記載のカメラワーク情報出力装置に係る発明によると、カメラワーク信号出力ユニットによって、映像信号出力ユニットから出力される映像信号から、複数種のカメラワークの実行にそれぞれ対応する複数種のカメラワーク信号が検出出力され、カメラワーク疑似図形変換ユニットによって、カメラワーク信号出力ユニットから出力される複数種のカメラワーク信号に基づいて、複数種のカメラワークにそれぞれ対応する疑似図形が作成され、作成された疑似図形に対応する疑似図形信号が出力され、同期制御ユニットによって、映像信号出力ユニットから出力される映像信号と、カメラワーク疑似図形変換ユニットから出力される疑似図形信号とが互いに同期をとって出力され、映像・疑似図形表示ユニットによって、同期制御ユニットの出力信号に基づいて、互いに対応する映像と疑似図形とが同一画面上にそれぞれ表示されるので、ユーザは映像・疑似図形表示ユニットにより表示される図形に基づいて、被写体の映像作成に伴って実行されたカメラワークの種別情報を、映像に対応付けられた具体的な疑似図形によって、より容易且つ適確に把握することが可能になる。
【図面の簡単な説明】
【図１】本発明の第１の実施の形態の要部の構成を示すブロック図である。
【図２】同実施の形態のカメラワークに対応する表示図形を示す説明図である。
【図３】本発明の第２の実施の形態の要部の構成を示すブロック図である。
【図４】同実施の形態の映像とカメラワークに対応する図形との同時表示の説明図である。
【図５】本発明の第３の実施の形態の要部の構成を示すブロック図である。
【図６】本発明の第４の実施の形態の要部の構成を示すブロック図である。
【図７】同実施の形態の疑似図形表示の説明図である。
【符号の説明】
１０  カメラワーク情報出力ユニット
１１  カメラワーク図形変換ユニット
１２  図形表示器
１３  映像信号出力ユニット
１４  同期制御ユニット
１５  ディスプレイ
１６  カメラワーク音声変換ユニット
１７  スピーカ
１８  カメラワーク疑似図形変換ユニット
２０  被写体疑似図形
２１  カメラ疑似図形
２２  カメラワーク情報出力装置
２３  カメラワーク検出ユニット
【図１】
0003908453.tif 000002
【図２】
0003908453.tif 000003
【図３】
0003908453.tif 000004
【図４】
0003908453.tif 000005
【図５】
0003908453.tif 000006
【図６】
0003908453.tif 000007
【図７】
0003908453.tif 000008